(57)【特許請求の範囲】
【請求項１】
ｘＤＳＬユーザモデム（４）と中央オフィス（１０）内の対応するｘＤＳＬモデム（９）との間におけるデータ転送リンクを確立する方法であって、
（ａ）ｘＤＳＬユーザモデム（４）を識別するためのウェイクアップビットパターンを生成する工程（Ｓ１）と、
（ｂ）パルス長変調されたウェイクアップ信号を生成すべく、生成されたウェイクアップビットパターンにて上流データ信号をパルス長変調する工程（Ｓ２）と、
（ｃ）データ転送媒体（８）を介して、パルス長変調されたウェイクアップ信号をｘＤＳＬユーザモデム（４）から中央オフィス（１０）内のｘＤＳＬモデム（９）へ伝送する工程（Ｓ３）と、
（ｄ）伝送されたウェイクアップ信号を復調する工程（Ｓ４）と、
（ｅ）ｘＤＳＬユーザモデム（４）からのウェイクアップビットパタ−ンの伝送を検出するために、変調されたウェイクアップ信号を記憶されているウェイクアップビットパタ−ンと比較する工程（Ｓ５）と、
（ｆ）ウェイクアップビットパタ−ンが、中央オフィス（１０）内のｘＤＳＬモデム（１１）をスリープモードからデータ転送のための動作モードへ切り換えるべく検出されたときに、ウェイクアップコマンド信号を生成する工程（Ｓ６）と、からなる方法。
【請求項２】
中央オフィス（１０）内のｘＤＳＬモデム（９）が動作モードに切り換えられた時に起動を開始する請求項１に記載の方法。
【請求項３】
ウェイクアップ信号がｘＤＳＬユーザモデム（４）によって周期的に伝送される請求項１に記載の方法。
【請求項４】
データ転送が終了した時に、中央オフィス（１０）内のｘＤＳＬモデム（９）が動作モードからスリープモードへ切り換えられる請求項１乃至３のいずれかに記載の方法。
【請求項５】
前記ウェイクアップビットパターンが検出されると、検出計数器（５１）のカウント値が増分される請求項１乃至４のいずれかに記載の方法。
【請求項６】
前記検出計数器（５１）のカウント値がしきい値に達するとウェイクアップコマンド信号が生成される請求項１乃至５のいずれかに記載の方法。
【請求項７】
前記しきい値が調整される請求項６に記載の方法。
【請求項８】
中央オフィス（１０）内の対応するｘＤＳＬモデム（９）にデータ転送媒体（８）を介して接続された少なくとも１つのｘＤＳＬユーザモデム（４）であって、同ｘＤＳＬユーザモデム（４）は、中央オフィス（１０）内の対応するｘＤＳＬモデム（９）をスリープモードから動作モードへ切り換えるためのパルス長変調ウェイクアップ信号を生成することを特徴とする、データ転送のためのｘＤＳＬデータ転送システム。
【請求項９】
ｘＤＳＬユーザモデム（４）が、ｘＤＳＬユーザモデム（４）を識別するウェイクアップビットパターンを生成するための生成手段（１６）と、パルス長変調ウェイクアップ信号を生成すべく、同ウェイクアップビットパターンで上流データ信号をパルス長変調するための変調手段（１８）と、ｘＤＳＬ上流周波数帯内のスペクトルを有するパルス長変調ウェイクアップ信号とからなる請求項８に記載のｘＤＳＬデータ転送システム。
【請求項１０】
生成されたウェイクアップビットパターンが１６ビットからなる請求項１乃至９のいずれかに記載のｘＤＳＬデータ転送システム。
【請求項１１】
前記ウェイクアップビットパターンの各ビットがパルス長変調ウェイクアップ信号のパルスのパルス長の存在期間を決定する請求項１乃至１０のいずれかに記載のｘＤＳＬデータ転送システム。
【請求項１２】
前記ウェイクアップ信号のレベルが所定の最大ＰＳＤレベルよりも低い請求項１乃至１１のいずれかに記載のｘＤＳＬデータ転送システム。
【請求項１３】
中央オフィス（１０）内のｘＤＳＬモデム（９）が、受信したアナログのパルス長変調信号を復調するための復調手段（１９）と、対応するｘＤＳＬユーザモデム（４）を識別するウェイクアップビットパターンを記憶するための記憶手段（１９）と、受信した復調信号を記憶されているウェイクアップビットパターンと比較するための比較手段（２１）と、復調されたウェイクアップ信号が記憶されているウェイクアップビットパターンと同一であったときに、ｘＤＳＬモデム（９）をスリープモードから動作モードへ切り換えるべくウェイクアップコマンドを生成するためのウェイクアップコマンド生成手段（２５）と、からなる請求項１乃至１２のいずれかに記載のｘＤＳＬデータ転送システム。
【請求項１４】
ｘＤＳＬモデム（９）の復調手段（１９）が、受信したアナログ信号を調整可能な利得で増幅するための利得シーケンサ（２６）と、同増幅信号を整流するための整流手段（２７）と、整流された信号をフィルタするためのローパスフィルタ（２８）と、フィルタされた信号を、ビットパターン比較手段（２１）に供給される非同期パルス列を生成する調整可能なしきい値と比較するためのコンパレータ（２９）と、からなる請求項１３に記載のｘＤＳＬデータ転送システム。
【請求項１５】
ビットパターン比較手段（２１）が、非同期パルス列を内部のクロック信号と同期させるための同期手段（４３）と、同期された受信パルス列中の各パルスのパルス長を検出して、該検出パルス長に対応する論理ビット値を生成するためのパルス長検出回路（４４）と、受信したビットパターンを一時的に記憶するためのレジスタ（４７）と、該受信したビットパターンを記憶されているウェイクアップビットパターンと比較して、受信したビットパターンと記憶されているウェイクアップビットパターンとが同一のときは計数器（５１）のカウント値を増分するコンパレータ（４８）と、からなる請求項１乃至１４のいずれかに記載のｘＤＳＬデータ転送システム。
【請求項１６】
計数器（５１）のカウント値が調整可能なしきい値に達した時、ウェイクアップコマンド生成手段（２５）がウェイクアップコマンドを生成する請求項１乃至１５のいずれかに記載のｘＤＳＬデータ転送システム。
【請求項１７】
ｘＤＳＬモデム（４，１１）がＶＤＳＬモデムである請求項１乃至１６のいずれかに記載のｘＤＳＬデータ転送システム。
【請求項１８】
データ転送媒体（８）が電話線である請求項１乃至１７のいずれかに記載のｘＤＳＬデータ転送システム。
【請求項１９】
ｘＤＳＬユーザモデム（４）を識別するウェイクアップビットパターンを生成するための生成手段（１６）と、パルス長変調ウェイクアップ信号を生成するために、ウェイクアップビットパターンで上流ｘＤＳＬデータ信号をパルス長変調するための変調手段（１８）と、ｘＤＳＬ上流周波数帯内の周波数域を有するパルス長変調ウェイクアップ信号と、からなるｘＤＳＬユーザモデム（４）。
【請求項２０】
受信されたアナログパルス長変調信号を復調するための復調手段（１９）と、ｘＤＳＬユーザモデム（４）を識別するウェイクアップビットパターンを記憶する記憶手段（２２）と、受信した復調信号と記憶されているウェイクアップビットパターンと比較する比較手段（２１）と、受信したビットパターンが記憶されているウェイクアップビットパターンと同一であるときに、ｘＤＳＬモデム（９）をスリープモードから動作モードへ切り換えるべくウェイクアップコマンドを生成するためのウェイクアップコマンド生成手段（２５）と、からなる中央オフィス（１０）内のｘＤＳＬモデム（１１）。
【発明の詳細な説明】
【０００１】
本発明はｘＤＳＬのユーザモデムと中央オフィス内の対応するｘＤＳＬモデムとの間のデータ転送リンクを確立するためのシステムおよび方法に関する。
【０００２】
図１は複数のｘＤＳＬユーザモデムを有する従来のｘＤＳＬシステムを示す。各モデムは電話線を介して中央オフィス内の対応するｘＤＳＬモデムと接続している。正常な動作においては、中央オフィス内の従来のｘＤＳＬモデムは連続動作して、電話線を介して接続された対応する遠隔のユーザｘＤＳＬモデムとデータ転送リンクを確立することを試みる。ユーザｘＤＳＬモデムがデータ転送の準備をすると、データリンクは開始手順により確立される。中央オフィスは電話ネットワークのユーザと接続する非常に多数のｘＤＳＬモデムからなる。図１に示される従来のｘＤＳＬシステムの問題点は、中央オフィス内のｘＤＳＬモデムは対応するユーザｘＤＳＬモデムとの接続の確立を連続して試みるので大電力を消費する。中央オフィス内の１つのｘＤＳＬモデムは最大１. ５Ｗの電力を消費する。中央オフィス内のｘＤＳＬモデムの数は非常に多くなり得るので、すべてのｘＤＳＬモデムの電力消費は莫大になる。
従って本発明の目的は、ｘＤＳＬのユーザモデムと中央オフィス内の対応するｘＤＳＬモデムとの間のデータ転送を最小の電力消費で行うためのシステムおよび方法に関する。
【０００３】
この目的は、本特許の請求項１の特徴を有する、ｘＤＳＬのユーザモデムと中央オフィス内の対応するｘＤＳＬモデムとの間のデータ転送リンクを確立するための方法、および本特許の請求項８の特徴を有するｘＤＳＬデータ転送システムによって達成された。
【０００４】
本発明はｘＤＳＬのユーザモデムと中央オフィス内の対応するｘＤＳＬモデムとの間のデータ転送リンクを確立するための方法を提供し、その方法は下記の工程からなる：
【０００５】
ユーザモデムを識別するウェイクアップビットパターンを生成する工程と、パルス長が変調されたウェイクアップ信号を生成するために、生成されたウェイクアップビットパターンのパルス長を変調する工程と、パルス長が変調されたウェイクアップ信号を、データ転送媒体を介して、ユーザｘＤＳＬモデムから中央オフィス内の対応するｘＤＳＬモデムに伝送する工程と、伝送されたウェイクアップ信号を中央オフィス内のｘＤＳＬモデムによって復調する工程と、ウェイクアップビットパターンの伝送を検出するために、復調されたウェイクアップ信号と記憶されているウェイクアップビットパターンとを比較する工程と、ウェイクアップビットパターンが検出された時に中央オフィス内のｘＤＳＬモデムを、スリープモードからデータ転送のための動作モードに切り換えるためのウェイクアップコマンド信号を生成する工程。
【０００６】
スリープモードにおいては、中央オフィス内のｘＤＳＬモデムの電力消費は少なく、従って中央オフィス内の全体電力消費量を最小にする。
本発明に基く方法の好ましい実施例においては、動作モードに切り換えられた時に、中央オフィス内のｘＤＳＬモデムは起動手順を開始する。
【０００７】
更なる実施例においては、ウェイクアップ信号はｘＤＳＬユーザモデムによって周期的に伝送される。
更なる実施例においては、データ転送が終了すると、中央オフィス内のｘＤＳＬモデムは動作モードからスリープモードに切り換えられる。
【０００８】
更なる好ましい実施例においては、ウェイクアップビットパターンが検出されると、検出係数器のカウント値が増分される。
更なる好ましい実施例においては、検出係数器のカウント値が所定のしきい値に達するとウェイクアップコマンド信号が生成される。
【０００９】
好ましい実施例においては、検出係数器のカウント値におけるしきい値は調整される。
本発明は更に、データ転送媒体を介して中央オフィス内の対応するｘＤＳＬモデムに接続された少なくとも１つのｘＤＳＬユーザモデムからなる、データ転送のためのｘＤＳＬデータ転送システムを提供する。そのシステムにおいては、ｘＤＳＬユーザモデムは、中央オフィス内の対応するｘＤＳＬモデムをスリープモードから動作モードへ切り換えるためのウェイクアップ信号を生成する。
【００１０】
好ましい実施例においては、ウェイクアップ信号はパルス長変調される。
更なる好ましい実施例においては、ｘＤＳＬユーザモデムは、ｘＤＳＬユーザモデムを識別するウェイクアップパターンを生成する手段と、パルス長変調ウェイクアップ信号を生成するためにウェイクアップパターンのパルス長を変調する変調手段であって、そのパルス長変調ウェイクアップ信号がｘＤＳＬの上流の周波数帯内のスペクトルを有することとからなる。
【００１１】
本発明に基くｘＤＳＬデータ転送システムの好ましい実施例においては、生成されたウェイクアップビットパターンは１６ビットからなる。
更なる実施例においては、ウェイクアップビットパターンの各ビットはパルス長変調信号中のパルスの存続期間を決定する。
【００１２】
更なる実施例においては、ウェイクアップ信号のレベルは所定の最大ＰＳＤ信号レベルよりも低い。
本発明に基くｘＤＳＬデータ転送システムの更なる実施例においては、中央オフィス内のｘＤＳＬモデムは、受信したアナログパルス長変調信号を復調するための復調手段と，ユーザモデムを識別するためのウェイクアップビットパターンを記憶する手段と、復調された受信信号と記憶されたウェイクアップビットパターンとを比較することにより復調されたウェイクアップビットパターン検出する手段と、受信したウェイクアップビットパターンが記憶されているウェイクアップビットパターンと同一である場合には、ｘＤＳＬモデムをスリープモードから動作モードへ切り換えるためのウェイクアップコマンドを生成するためのウェイクアップコマンド生成手段と、からなる。
【００１３】
本発明に基くｘＤＳＬデータ転送システムの更なる実施例においては、ｘＤＳＬモデムの復調手段は、受信したアナログ信号を調整可能な利得で増幅するための利得シーケンサ、増幅信号を整流するための整流手段、整流信号をフィルタリングするためのローパスフィルタ、及びフィルタされた信号と、検出手段に供給される非同期性パルス列を生成する調整可能なしきい値と、を比較するためのコンパレータ、からなる。
【００１４】
本発明に基くｘＤＳＬデータ転送システムの好ましい実施例においては、その検出手段は，内部クロック信号を有する非同期性パルス列を同期する手段、同期されたパルス列中の各パルスのパルス長を検出するためのパルス長検出回路、検出されたパルス長に依ってビットパターンを生成するためのビットパターン生成手段、受信したビットパターンを一時的に記憶するレジスタ、および受信したビットパターンと記憶されているウェイクアップビットパターンとを比較し、その受信したビットパターンと記憶されたウェイクアップビットパターンとが同一の場合に計数器のカウント値に増分するコンパレータからなる。
【００１５】
本発明に基くｘＤＳＬシステムの好ましい実施例においては、ウェイクアップコマンド生成手段は、計数器のカウント値が所定のしきい値に達した時にウェイクアップコマンドを生成する。
【００１６】
本発明に基くｘＤＳＬシステムの好ましい実施例においては、ｘＤＳＬモデムはＶＤＳＬモデムである。
ｘＤＳＬデータ転送システムの好ましい実施例においては、データ転送媒体は電話線である。
【００１７】
本発明は更に、ｘＤＳＬユーザモデムを識別するウェイクアップパターンを生成する手段と、パルス長変調ウェイクアップ信号を生成するためにウェイクアップビットパターンのパルス長を変調する手段とを備えるｘＤＳＬユーザモデムを提供する。そのパルス長変調ウェイクアップ信号はｘＤＳＬの上流周波数帯内のスペクトルを有する。
【００１８】
本発明は更に、受信されたアナログパルス長変調信号を復調する手段、データ転送媒体を介してｘＤＳＬオフィスモデムに接続されたユーザモデムを識別するためにウェイクアップビットパターンを記憶する手段、復調された受信信号と記憶されているウェイクアップビットパターンとを比較することにより復調されたウェイクアップビットパターンを検出する手段、及び、受信されたウェイクアップビットパターンが記憶されているウェイクアップパターンと同一であるときにｘＤＳＬモデムをスリープモードから動作モードに切り換えるためのウェイクアップコマンドを生成する手段、を備える中央オフィス内のｘＤＳＬ中央オフィスモデムを提供する。
【００１９】
下記の説明においては本発明に基く、データ転送のためのデータ転送リンクおよびｘＤＳＬデータ転送システムを確立するための方法の好ましい実施例を図を参照して説明する。
【００２０】
本発明に基くデータ転送のためのｘＤＳＬデータ転送システム１を図２に示す。ｘＤＳＬデータ転送システムは２‐１から２‐ＮのＮ個のデータ源からなり、各データはデータの上流信号を生成する。データ上流信号は信号線路３‐１から３‐Ｎを介して対応するｘＤＳＬユーザモデム４‐１から４‐Ｎへ供給される。ｘＤＳＬユーザモデム４は従来のｘＤＳＬモデム５からなり、そのｘＤＳＬモデム５の出力は線路６を介してウェイクアップ信号を生成するウェイクアップ信号生成ユニット７に接続している。ｘＤＳＬユーザモデム４は例えばペア電話線等の物理媒体を介して対応する中央オフィス１０内のｘＤＳＬモデム９に接続している。中央オフィス１０の各ｘＤＳＬモデム９は、従来のｘＤＳＬモデム１１および、電話線８を介して受信されたウェイクアップ信号を検出するためのウェイクアップ信号検出ユニット１２からなる。ウェイクアップ信号検出ユニット１２は線路１３を介して電話８に接続し、ｘＤＳＬモデムをスリープモードからデータ受信のための動作モードへ切り換えるために、ウェイクアップコマンド信号を制御線路１４を介してｘＤＳＬモデム１１に送信する。
【００２１】
ｘＤＳＬユーザモデム４のウェイクアップ信号生成ユニット７は、電話線８を介して、対応する中央オフィス１０内のｘＤＳＬモデム９にウェイクアップ信号を生成する。伝送されたウェイクアップ信号はウェイクアップ信号検出ユニット１２によって検出され、それによりｘＤＳＬモデム１１はスリープモードからデータ転送のための動作モードに切り換えられる。各ユーザモデム４は、そのユーザモデム４に特有のウェイクアップ信号を生成し、それによりウェイクアップ信号検出ユニット１２は異なる電話線８間の端末クロストーク（ＦＥＸＴ）には反応しない。各ユーザモデム４の特有のウェイクアップ信号は、端末クロストーク（ＦＥＸＴ）の結果としての他のｘＤＳＬモデムの誤ったウェイクアップが防止されることを保証する。従って、異なる電話線８‐１から８‐Ｎは共通の電話ケーブル１５に配置され得る。
【００２２】
ｘＤＳＬユーザモデム４が作動しない時は、中央オフィス１０内の対応するｘＤＳＬモデム９はスリープモードにある。パーソナルコンピュータ２のようなデータ源２は通常殆どの時間、データ上流信号を中央オフィスに送信しないので、中央オフィス１０内の対応するｘＤＳＬモデム９は殆どの時間スリープモードにある。スリープモードにおいては、ｘＤＳＬモデム９は必要最小限度の電力のみ消費する。ｘＤＳＬモデム９は、対応するｘＤＳＬユーザモデム４からのウェイクアップ信号が検出された時のみ、電力を消費する動作モードに切り換えられる。ユーザがユーザモデム４の電力をオンしてデータ接続の確立を望んだ時、そのユーザモデム４はウェイクアップ信号を生成し、電話線８を介して中央オフィス内の対応するｘＤＳＬモデム９にその信号を送信する。ウェイクアップ信号検出ユニット１２は受信されたウェイクアップ信号を検出し、ｘＤＳＬモデムを動作モードに切り換える。次に、そのｘＤＳＬモデム９は起動手順を開始する。ユーザがデータ接続を終了した時、その中央オフィス１０内のｘＤＳＬモデム９はスリープモードに逆切換される。
【００２３】
図３は本発明に基いたｘＤＳＬユーザモデム４内のウェイクアップ信号生成ユニット７を示す。ウェイクアップ信号生成ユニット７はそのｘＤＳＬユーザモデム４を識別するウェイクアップビットパターンを生成するためのウェイクアップビットパターン生成手段１６を備える。生成されたウェイクアップビットパターンは線路１７を介して変調手段１８に供給される。変調手段１８はデータ線路６を介してデータ源２から供給される上流データ信号のパルス長変調を行う。上流データ信号はウェイクアップビットパターンでパルス長変調されてパルス長変調ウェイクアップ信号を生成し、その信号は線路８を介して中央オフィス１０内の対応するｘＳＤＬモデム９に伝送される。パルス長変調ウェイクアップ信号はｘＤＳＬ上流周波数帯内の周波数域を有する。ＶＤＳＬへの応用のためには、上流周波数帯は３. ５ＭＨｚ乃至５ＭＨｚである。生成されたウェイクアップ信号はトランス等の受動磁気素子を通過し得るが、中央オフィス１０のｘＤＳＬモデム９内のウェイクアップ検出ユニット１２に達するまではその信号は阻止されない。
【００２４】
好ましい実施例において、ウェイクアップビットパターン生成手段１６は１６ビットからなるウェイクアップビットパターンを生成する。この比較的短いビットパターンは、ウェイクアップ工程が比較的短時間、例えば１００ミリ秒以内で、完了することを保証する。
【００２５】
図７は、ユーザｘＤＳＬモデム４のウェイクアップ生成手段７によって生成されたウェイクアップ信号の例である。ウェイクアップ信号は、デューティサイクル変調によって変調されたｘＤＳＬ上流周波数帯中の平坦な周波数スペクトルを有する。ｄマイクロ秒の存続期間のＮビットの列は、中央オフィス１０のｘＤＳＬモデム９内のウェイクアップ検出ユニット１２によって検出されるまで、ユーザモデム４によって周期的に伝送される。ウェイクアップビットパターンの各ビットは、ｄｏｎマイクロ秒のオンパルスとｄｏｆｆマイクロ秒のオフパルスとによって表現され、ビットがロジカルローの場合はｄｏｎ＜ｄｏｆｆ、ロジカルハイの場合はｄｏｎ＞ｄｏｆｆである。好ましい実施例において、ウェイクアップビットパターンは１６ビットからなり、存続期間ｄは約１００マイクロ秒であり、ビットがロジカルローの場合はｄｏｎ＝０. ２５ｄ、ロジカルハイの場合はｄｏｎ＝０. ７５ｄである。図７は、ウェイクアップ信号の１周期のウェイクアップ信号の例を示す。図７は信号のエンベロープのみを示す。信号自体はランダム雑音信号であって、そのスペクトルは標準ｘＤＳＬ上流信号のスペクトルと合致する。
【００２６】
図４は中央オフィス１０のｘＤＳＬモデム９内のウェイクアップ信号検出ユニット１２のブロック図である。ウェイクアップ信号検出ユニット１２は受信されたアナログパルス長変調信号を復調するための復調手段１９からなる。復調手段１９は線路２０を介して、復調された受信ビットパターンと記憶手段２２内に記憶されているウェイクアップビットパターンとを比較する比較手段２１に接続する。記憶手段２２は、対応するユーザモデム４を識別するウェイクアップビットパターンを記憶する。その記憶手段２２は線路２３を介して比較手段２１に接続する。コンパレータ２２が、復調されたビットパターンが記憶されているウェイクアップビットパターンと同一であるということを検出した場合、そのコンパレータは線路２４を介して検出信号をウェイクアップコマンド生成手段２５に送信する。ウェイクアップコマンド生成手段２５はウェイクアップコマンドを生成し、制御線路１４を介してウェイクアップコマンドを対応するモデム１１に送信する。ウェイクアップコマンドは、ｘＤＳＬモデム９をスリープモードから動作モードに切り換える。ウェイクアップ信号検出ユニット１２は大電力を必要としない簡単な回路で実行され得る。従ってウェイクアップ信号検出ユニット１２の電力消費は、完全なｘＤＳＬモデム９によって消費される電力の僅かなパーセントである。ウェイクアップ信号検出ユニットは、すべての線路距離に対応するために、受信されたウェイクアップ信号の絶対電力レベルには鈍感である。ウェイクアップ信号検出ユニット１２はビットパターンを検出するために設けられており、信号エネルギを検出するためではない。
【００２７】
図５は、本発明に基くウェイクアップ検出ユニット１２内の復調手段１９の好ましい実施例を示す。復調手段１９は、調整可能利得で受信アナログ信号を増幅するための利得シーケンサ２６、増幅された信号を整流するための整流回路２７、整流された信号をフィルタするためのローパスフィルタ２８、及び、フィルタされた信号と検出手段２１に供給される非同期性パルス列を生成する調整可能なしきい値とを比較するためのコンパレータ２９を備える。利得シーケンサ２６は入力ウェイクアップ信号を増幅し、動作増幅器３０、抵抗器３１ａ、３１ｂ、及び、調整可能抵抗器３２ａ、３２ｂを備える。利得シーケンサ２６は、ウェイクアップ信号がウェイクアップ検出手段によって検出されるまで、利得を増大させて入力ウェイクアップ信号を増幅する。スイッチ３４ａ、３４ｂを制御する動作制御増幅器３３を備える整流手段２７は、接続されたローパスフィルタ２８に整流信号を供給する。図５に示されるローパスフィルタ２８は高周波雑音を除去し、受信されたウェイクアップ信号の信号エンベロープを探知する。ローパスフィルタ２８は更に、残余の直列信号部分を除去する。ローパスフィルタ２８は、動作増幅器３５、抵抗器３６，３７，３８、およびキャパシタ３９，４０からなる能動フィルタである。動作増幅器３５の出力は線路４１を介してコンパレータ４２、抵抗器４３ａ、およびキャパシタ４４ａからなる比較手段に接続される。
【００２８】
コンパレータ４２の出力は線路２０を介して、コンパレータ４２の出力ビットパターンと記憶されているウェイクアップビットパターンとを比較する、ビットパターン比較手段２１に接続される。ビットパターン比較手段２１は、記憶手段２２中に記憶されているウェイクアップビットパターンと同一の、コンパレータ４２によって受信されたビットパターン出力を有する検出信号を生成し、その検出信号をウェイクアップコマンド生成手段２５に送信する。
【００２９】
図６は、ビットパターン検出手段２１の好ましい実施例を示す。ビットパターン検出手段２１は、復調手段１９から受信された非同期性パルス列を同期するための同期回路４３を備える。受信されたパルス列やビットパターンは内部のクロック信号で同期される。検出手段２１は更に、線路４５を介して同期回路４３に接続されるパルス長検出回路４４を備える。パルス長検出回路４４の出力は、線路４６を介して、受信されたビットパターンを一時的に記憶するレジスタ４７に接続される。線路４９を介してレジスタ４７に接続されるビットコンパレータ４８は、レジスタ４７中に記憶された受信したビットパターンと、メモリ２２に記憶されているウェイクアップビットパターンとを比較し、受信したビットパターンと記憶されているビットパターンとが同一のときは、制御線路５０を介して計数器５１のカウント値を増分する。計数器５１のカウント値が調整可能なしきい値に達したとき、ウェイクアップコマンド生成手段２５はウェイクアップコマンドを生成する。
【００３０】
図８ａは本発明に基いて、ｘＤＳＬユーザモデム４と中央オフィス内の対応するｘＤＳＬモデム９との間のデータ転送リンクを確立する方法のフローダイアグラムである。
【００３１】
工程Ｓ１において、ｘＤＳＬユーザモデム４を識別するウェイクアップビットパターンがビットパターン生成回路１６によって生成される。
工程Ｓ２において、変調回路１８によってパルス長変調ウェイクアップ信号を生成するために、生成されたウェイクアップビットパターンが上流のデータ信号をパルス長変調するために使用される。
【００３２】
パルス長変調ウェイクアップ信号は工程３において、電話線８を介してｘＤＳＬユーザモデム４から中央オフィス１０内のｘＤＳＬモデム９に伝送される。
更に工程Ｓ４において、伝送されたウェイクアップ信号は、ｘＤＳＬモデム９のウェイクアップ信号検出ユニット１２内の復調手段１９によって復調される。
【００３３】
工程Ｓ５において、復調されたウェイクアップ信号はレジスタ２２中に記憶されているウェイクアップビットパターンと比較される。
工程Ｓ６において、受信したビットパターンが記憶されているウェイクアップビットパターンと同一である場合にウェイクアップコマンド信号が生成され、モデム１１はスリープモードから起動手順を開始するための動作モードに切り換えられる。
【００３４】
モデム１１が動作モードに切り換えられた後、ｘＤＳＬモデム９は対応するｘＤＳＬユーザモデム４とのデータリンクを確立するための起動手順を開始する。起動手順の後、正常のデータ転送が行われる。データ転送が終了すると、中央オフィス１０内のｘＤＳＬモデム９は動作モードからスリープモードへ切り換えられる。
【００３５】
図８ｂは、図８ａで示されたような本発明に基く主業務内で、工程Ｓ６の好ましい実施例を示す。一時的にレジスタ４７に記憶された受信ビットパターンはレジスタ２２中に記憶されたウェイクアップビットパターンと比較される。両方のビットパタ−ンが同一である場合、工程Ｓ６‐２において比較手段２１の計数器のカウント値５１は増分される。工程Ｓ６‐３において計数器５１のカウント値が所定のしきい値と比較され、工程Ｓ６‐４において計数器のカウント値がしきい値に達するとウェイクアップコマンド信号が生成される。ウェイクアップコマンド信号はｘＤＳＬモデム９をスリープモードから動作モードに切り換える。
【図面の簡単な説明】
【図１】従来技術に基くデータ転送のためのｘＤＳＬデータ転送システム。
【図２】本発明に基くデータ転送のためのｘＤＳＬデータ転送システム。
【図３】本発明に基くｘＤＳＬユーザモデム内の付加ユニットのブロックダイアグラム。
【図４】本発明に基く中央オフィス内のｘＤＳＬモデムのブロックダイアグラム。
【図５】本発明に基く中央オフィス内のｘＤＳＬモデムの復調手段。
【図６】本発明に基く中央オフィス内のｘＤＳＬモデムの検出手段のブロックダイアグラム。
【図７】本発明に基くパルス長変調ウェイクアップ信号のタイミングダイアグラム。
【図８ａ】本発明に基く中央オフィス内のｘＤＳＬモデムによるウェイクアップコマンド信号の生成のフローダイアグラム。
【図８ｂ】本発明に基く中央オフィス内のｘＤＳＬモデムによるウェイクアップコマンド信号の生成のフローダイアグラム。
【符号の説明】
１…ｘＤＳＬデータ転送システム、２…データ源、３…線路、４…ｘＤＳＬユーザモデム、５…モデム、６…線路、７…ウェイクアップ信号生成回路、８…電話線、９…ｘＤＳＬモデム、１０…中央オフィス、１１…モデム、１２…ウェイクアップ信号検出ユニット、１３…線路、１４…線路、１５…ケーブル、１６…ビットパターン生成手段、１７…線路、１８…半長変調回路、１９…復調手段、２０…線路、２１…比較手段、２２…記憶手段、２３…線路、２４…線路、２５…ウェイクアップコマンド生成手段、２６…列シークエンサ、２７…整流手段、２８…ローパスフィルタ、２９…比較手段、３０…動作増幅器、３１…抵抗器、３２…調整可能抵抗器、３３…動作増幅器、３４…スイッチ、３５…動作増幅器、３６…抵抗器、３７…抵抗器、３８…抵抗器、３９…キャパシタ、４０…キャパシタ、４１…線路、４２…動作増幅器、４３…抵抗器、４４…キャパシタ、４３…同期手段、４４…パルス長検出回路、４５…線路、４６…線路、４７…抵抗器、４８…ビットコンパレータ、４９…線路、５０…線路、５１…計数器
【図１】
0003653079.tif 000002
【図２】
0003653079.tif 000003
【図３】
0003653079.tif 000004
【図４】
0003653079.tif 000005
【図５】
0003653079.tif 000006
【図６】
0003653079.tif 000007
【図７】
0003653079.tif 000008
【図８ａ】
0003653079.tif 000009
【図８ｂ】
0003653079.tif 000010